(57)【要約】【課題】  処理条件が誤って初期化されてしまうことを防止すると共に操作が煩雑になることを抑えることができる処理条件設定装置および画像形成装置を提供する。【解決手段】  操作表示装置７（処理条件設定装置）は、オールクリアキーと、ＲＡＭ５と、表示パネル９と、制御部４とを備える。オールクリアキーは、設定された処理条件を初期状態へと戻すオールクリア機能を外部から指示するための部分である。ＲＡＭ５は、設定された処理条件を記憶する。制御部４は、オールクリア機能が指示されると、オールクリア機能を実行すると共に、復帰指示表示を表示パネル９に表示させる。復帰指示表示は、オールクリア機能の実行前の処理条件に戻す復帰機能を外部から指示するための表示である。【選択図】      図２
2005159763.tif 000002
【特許請求の範囲】
【請求項１】
設定された処理条件を初期状態へと戻すオールクリア機能を外部から指示するためのオールクリア指示部と、
設定された前記処理条件を記憶する記憶部と、
表示部と、
前記オールクリア機能が指示されると、前記オールクリア機能を実行すると共に、前記オールクリア機能の実行前の前記処理条件に戻す復帰機能を外部から指示するための復帰指示表示を前記表示部に表示させる制御部と、
を備える処理条件設定装置。
【請求項２】
前記表示部は、前記処理条件の設定に関する表示を行い、
前記復帰指示表示は、前記オールクリア機能が実行されると共に前記表示部に表示されるポップアップ表示である、
請求項１に記載の処理条件設定装置。
【請求項３】
前記ポップアップ表示は、復帰機能を外部から指示するためのタッチパネル式の復帰キー表示を有し、
前記制御部は、前記復帰キー表示によって外部から復帰機能が指示されると、前記復帰機能を実行する、
請求項２に記載の処理条件設定装置。
【請求項４】
前記制御部は、前記オールクリア機能が実行されてから所定時間、前記復帰機能が指示されない場合には、前記復帰指示表示を消去する、
請求項１から３のいずれかに記載の処理条件設定装置。
【請求項５】
前記制御部は、前記オールクリア指示部によって前記オールクリア機能が指示されると、前記オールクリア機能の実行の確認を行わずに直ちに前記オールクリア機能を実行し、前記オールクリア機能が実行されてから所定時間、前記復帰機能の指示を受け付ける、
請求項１から４のいずれかに記載の処理条件設定装置。
【請求項６】
請求項１から５のいずれかに記載の処理条件設定装置と、
前記処理条件設定装置による前記処理条件に従って画像形成機能を実行する画像形成機構と、
を備える画像形成装置。
【発明の詳細な説明】
【技術分野】
【０００１】
本発明は、処理条件設定装置および画像形成装置に関する。
【背景技術】
【０００２】
複写機やプリンター等の画像形成装置は、使用者等が所望の処理条件を設定するための処理条件設定装置を備えている。処理条件設定装置は、例えば、画像形成装置の表面に設けられる操作パネルであり、使用者等は、処理条件設定装置を用いることによって画像形成に必要な処理条件を設定することができる。
【０００３】
近年、このような処理条件設定装置においては、設定された処理条件を初期状態へと戻すオールクリア機能が備えられることが多く、通常、オールクリア機能を外部から指示するためのオールクリア指示部が設けられていることが多い。使用者等は、オールクリア指示部を用いることによって処理条件を初期化して、新たに処理条件を設定することができる。しかし、このような処理条件設定装置においては、オールクリア指示部が誤って操作された場合であっても、処理条件が初期化されてしまうという問題がある。この様な問題を解決するため、オールクリア機能が指示された場合に、本当にオールクリア機能を実行してもよいかを確認する表示を行い、使用者等が確認操作を行って初めてオールクリア機能を実行する画像形成装置が開示されている（特許文献１参照）。
【特許文献１】特許第３０６０９４９号明細書。
【発明の開示】
【発明が解決しようとする課題】
【０００４】
しかし、上記のような画像形成装置では、オールクリア機能を実行させるためには、オールクリア指示部の操作と確認操作との２回の操作を行う必要があり、操作が煩雑である。
【０００５】
本発明の課題は、処理条件が誤って初期化されてしまうことを防止すると共に操作が煩雑になることを抑えることができる処理条件設定装置および画像形成装置を提供することにある。
【課題を解決するための手段】
【０００６】
請求項１に記載の処理条件設定装置は、オールクリア指示部と、記憶部と、表示部と、制御部とを備える。オールクリア指示部は、設定された処理条件を初期状態へと戻すオールクリア機能を外部から指示するための部分である。記憶部は、設定された処理条件を記憶する。制御部は、オールクリア機能が指示されると、オールクリア機能を実行すると共に、復帰指示表示を表示部に表示させる。復帰指示表示は、オールクリア機能の実行前の処理条件に戻す復帰機能を外部から指示するための表示である。
【０００７】
この処理条件設定装置では、オールクリア機能が誤って指示された場合であっても、復帰機能によって設定された処理条件に戻すことができる。従って、処理条件が誤って初期化されてしまうことを防止することができる。また、確認操作が不要であるため、操作が煩雑になることを抑えることができる。さらに、オールクリア機能が実行されると共に復帰指示表示が表示部に表示されるため、誤ってオールクリア機能を指示してしまった使用者等が簡易に復帰機能を指示することができる。
【０００８】
請求項２に記載の処理条件設定装置は、請求項１に記載の処理条件設定装置であって、表示部は、処理条件の設定に関する表示を行う。また、復帰指示表示は、オールクリア機能が実行されると共に表示部に表示されるポップアップ表示である。
【０００９】
この処理条件設定装置では、オールクリア機能が実行されると、処理条件の設定操作を行っていた使用者等が見ていた表示部に復帰指示表示がポップアップ表示として表示される。このため、使用者等の注意をより確実に喚起することができる。
【００１０】
請求項３に記載の処理条件設定装置は、請求項２に記載の処理条件設定装置であって、ポップアップ表示は、復帰機能を外部から指示するためのタッチパネル式の復帰キー表示を有する。そして、制御部は、復帰キー表示によって外部から復帰機能が指示されると、復帰機能を実行する。
【００１１】
この処理条件設定装置では、タッチパネル式の復帰キー表示によって、復帰機能の実行を指示することができる。このため、使用者等はより簡易に復帰機能を指示することができる。
【００１２】
請求項４に記載の処理条件設定装置は、請求項１から３のいずれかに記載の処理条件設定装置であって、制御部は、オールクリア機能が実行されてから所定時間、復帰機能が指示されない場合には、復帰指示表示を消去する。
【００１３】
この処理条件設定装置では、オールクリア機能が実行されてから所定時間、復帰機能が指示されない場合には、復帰指示表示が消去される。このため、オールクリア機能が正しく実行された場合には、不要な復帰指示表示が自動的に消去され、以降の操作を引き続き行うことができる。
【００１４】
請求項５に記載の処理条件設定装置は、請求項１から４のいずれかに記載の処理条件設定装置であって、制御部は、オールクリア指示部によってオールクリア機能が指示されると、オールクリア機能の実行の確認を行わずに直ちにオールクリア機能を実行し、オールクリア機能が実行されてから所定時間、復帰機能の指示を受け付ける。
【００１５】
この処理条件設定装置では、オールクリア機能が指示されると直ちにオールクリア機能が実行され、その後の所定時間、復帰機能の指示が受け付けられる。このため、オールクリア機能が誤って指示された場合には、復帰機能によってオールクリア前の処理設定に戻すことができ、オールクリア機能が正しく実行された場合には、復帰機能の指示の受け付けが自動的に終了され、以降の操作を続けて行うことができる。このように、この処理条件設定装置では、処理条件が誤って初期化されてしまうことを防止すると共に操作が煩雑になることを抑えることができる。
【００１６】
請求項６に記載の画像形成装置は、請求項１から５のいずれかに記載の処理条件設定装置と、画像形成機構とを備える。画像形成機構は、処理条件設定装置による処理条件に従って画像形成機能を実行する。
【００１７】
この画像形成装置では、オールクリア機能が誤って指示された場合であっても、復帰機能によって設定された処理条件に戻すことができる。従って、処理条件が誤って初期化されてしまうことを防止することができる。また、確認操作が不要であるため、操作が煩雑になることを抑えることができる。さらに、オールクリア機能が実行されると共に復帰指示表示が表示部に表示されるため、誤ってオールクリア機能を指示してしまった使用者等が簡易に復帰機能を指示することができる。
【発明の効果】
【００１８】
請求項１に記載の処理条件設定装置では、処理条件が誤って初期化されてしまうことを防止することができる。また、操作が煩雑になることを抑えることができる。さらに、誤ってオールクリア機能を指示してしまった使用者等が簡易に復帰機能を指示することができる。
【００１９】
請求項２に記載の処理条件設定装置では、オールクリア機能が実行されると、処理条件の設定操作を行っていた使用者等が見ていた表示部に復帰指示表示がポップアップ表示として表示される。このため、使用者等の注意をより確実に喚起することができる。
【００２０】
請求項３に記載の処理条件設定装置では、タッチパネル式の復帰キー表示によって、復帰機能の実行を指示することができる。このため、使用者等はより簡易に復帰機能を指示することができる。
【００２１】
請求項４に記載の処理条件設定装置では、オールクリア機能が正しく実行された場合には、不要な復帰指示表示が自動的に消去され、以降の操作を引き続き行うことができる。
【００２２】
請求項５に記載の処理条件設定装置では、オールクリア機能が誤って指示された場合には、復帰機能によってオールクリア前の処理設定に戻すことができ、オールクリア機能が正しく実行された場合には、復帰機能の指示の受け付けが自動的に終了され、以降の操作を続けて行うことができる。このように、この処理条件設定装置では、処理条件が誤って初期化されてしまうことを防止すると共に操作が煩雑になることを抑えることができる。
【００２３】
請求項６に記載の画像形成装置では、処理条件が誤って初期化されてしまうことを防止することができる。また、操作が煩雑になることを抑えることができる。さらに、誤ってオールクリア機能を指示してしまった使用者等が簡易に復帰機能を指示することができる。
【発明を実施するための最良の形態】
【００２４】
［構成］
図１及び図２に、本発明の一実施形態にかかる画像形成装置１を示す。画像形成装置１は、コピー、プリンター、スキャナーなどの複数の画像形成機能を有する複合機である。
【００２５】
この画像形成装置１は、画像形成機構２と、入出力部３と、制御部４と、ＲＡＭ５（記憶部）と、ＲＯＭ６と、操作表示装置７（処理条件設定装置）とを備えている。
【００２６】
画像形成機構２は、操作表示装置７への入力操作によって設定された画像形成条件（処理条件）に従って画像形成機能を実行する機構である。画像形成機構２は、初期状態での画像形成条件や、ＲＡＭ５に記憶された画像形成条件に従って画像形成を行う。画像形成機構２は、具体的には、図示しない感光体ドラム、主帯電装置、現像装置、転写装置及び定着装置を有している。感光体ドラムは、表面に静電潜像が形成されるものである。主帯電装置は、感光体ドラム表面を帯電させるための装置である。現像装置は、静電潜像が形成された感光体ドラム表面にトナーを供給してトナー像を形成する装置である。転写装置は、感光体ドラムのトナー像を用紙に転写するための装置である。定着装置は、転写されたトナー像を用紙に定着させるための装置である。
【００２７】
入出力部３としては、図示しない原稿読取部、給紙装置、通信部等がある。原稿読取部は、載置台３０に載置された原稿上の情報を読み取るためのものである。給紙装置は、給紙カセットに収納された用紙を画像形成機構２に搬送するための装置である。通信部は、画像形成装置１に接続されたパーソナルコンピュータ等の外部接続機器との間で画像形成に関する情報の送受信を行う部分である。
【００２８】
制御部４は、画像形成機構２及び入出力部３の動作を制御するためのものであって、具体的には、ＣＰＵで構成される。制御部４は、画像形成機構２、入出力部３、ＲＡＭ５、ＲＯＭ６及び操作表示装置７に接続されている。制御部４による制御内容については後に詳細に説明する。
【００２９】
ＲＡＭ５は、制御部４の作業領域として機能するほか、操作表示装置７の入力キー部８（後述）からの入力または制御部４によって設定された画像形成条件を記憶する。
【００３０】
ＲＯＭ６は、制御部４によって行われる制御に関するプログラムや、画像形成機構２、操作表示装置７及び入出力部３の動作に関するプログラムを有している。
【００３１】
操作表示装置７は、入力操作を行うための部分であり、入力キー部８と、表示パネル９（表示部）とを有している。
【００３２】
入力キー部８は、入力操作を受け付けて画像形成条件を入力するための部分である。入力キー部８は、図３に示すように、例えば、押しボタン式の構造を有する複数のハードキーによって構成されており、操作表示装置７の上面に設けられている。入力キー部８は、テンキー８０、オールクリアキー８１（オールクリア指示部）、スタートキー８２、ストップ／クリアキー８３などを有している。
【００３３】
テンキー８０は、入力操作において印刷枚数などの数値を入力するためのキーである。オールクリアキー８１は、設定された画像形成条件を初期状態へと戻すオールクリア機能を外部から手動で指示するキーである。この操作表示装置７では、オールクリアキー８１が押されると、確認画面等が表示されることなく直ちにオールクリア機能が実行される。スタートキー８２は、画像形成機能を開始させるためのキーであり、制御部４に対し、画像形成機構２による印刷を指示する。ストップ／クリアキー８３は、画像形成を中断したり、画像形成条件の入力を訂正したりするためのキーである。これらのキーは、使用頻度の高いキーであり、使用者にとって使用し易いように、画像形成装置１の正面方向から見て操作表示装置７上の右側部分に集約して配置されている。
【００３４】
表示パネル９は、操作表示装置７の上面に、正面方向から見て入力キー部８の側方に配置されている。表示パネル９は、図４に示すように、操作画面９０や復帰指示表示９１を表示する。
【００３５】
操作画面９０では、各種のキー表示９３や、画像形成条件の設定に関する操作情報９２などが表示される。各種のキー表示９３とは、両面若しくは片面印刷、分割印刷、用紙サイズ、印字濃度等の画像形成条件を選択するためのタッチパネル式の表示である。使用者等は、キー表示９３に触れることによって画像形成条件などの入力が可能である。また、操作情報９２とは、複写機能の開始の可否、設定された画像形成条件、異常の発生などの情報である。なお、図４では、キー表示９３および操作情報９２の全てに符号を付するのではなく一部省略している。
【００３６】
復帰指示表示９１は、オールクリア機能が実行されると共に表示パネル９に表示されるポップアップ表示であり、操作画面９０上に重なって表示される。復帰指示表示９１は、復帰キー表示９４と、復帰キー表示９４が押されることにより画像処理条件が前の設定に戻る旨の記載９５を有している。復帰キー表示９４は、復帰機能を外部から指示するためのタッチパネル式のボタン型の表示であり、例えば、図４のように「戻る」という文字が付されている。復帰機能は、オールクリア機能の実行前の画像処理条件に戻す機能である。復帰指示表示９１は、オールクリア機能が実行されると共に表示パネル９に表示され、そのまま所定時間、継続して表示される。復帰指示表示９１は、復帰キー表示９４が押されない状態で所定時間経過すると消去される。
【００３７】
［制御部による制御内容］
制御部４は、オールクリアキー８１によりオールクリア機能が使用者等から指示されると、設定された画像形成条件を初期状態へと戻す。制御部４は、オールクリア機能の実行の確認の受け付けを行わずに直ちにオールクリア機能を実行し、上述した復帰指示表示９１を表示パネル９に表示させる。制御部４は、オールクリア機能が実行されてから所定時間、復帰機能の指示を受け付ける。使用者等が、この所定時間内に復帰キー表示９４を押すと、制御部４は、復帰機能を実行してオールクリア機能の実行前の画像形成条件を復活させる。制御部４は、所定時間内に復帰キー表示９４が押されない場合には、復帰指示表示９４を表示パネル９から消去する。
【００３８】
以下、図５および図６に基づいて制御部４による制御内容を詳細に説明する。
まず、図５に示すステップＳ１において、オールクリアキー８１の操作が行われた否かが判断される。オールクリアキー８１の操作が行われると、ステップＳ２において画像形成条件が保存される。ＲＡＭ５には、画像形成機能を実行するために画像形成条件を記憶する処理領域と、復帰機能の実行のために用いられる保存領域とがあり、ステップＳ２においては、ＲＡＭ５の保存領域に画像形成条件が保存される。続いて、ステップＳ３においてオールクリア機能が実行される。ここでは、処理領域に記憶されている画像形成条件が初期化される。次に、ステップＳ４において、復帰指示表示９１が表示パネル９に表示され、ステップＳ５において、タイマーｔのカウントがスタートする。次に、図６に示すステップＳ６へと進み、復帰キー表示９４の操作が行われたか否かが判断される。復帰キー表示９４の操作が行われた場合には、ステップＳ７へと進み復帰機能が実行される。ここでは、ＲＡＭ５の保存領域に記憶された画像形成条件が処理領域へと呼び出される。その後、ステップＳ１へと戻る。ステップＳ６において、復帰キー表示９４の操作が行われなかった場合には、ステップＳ８へと進み、タイマーｔの値が所定時間Ｔを越えたか否かが判断される。タイマーｔの値が所定時間Ｔを越えていない場合には、ステップＳ６へと戻る。タイマーｔの値が所定時間Ｔを越えた場合には、ステップＳ９へと進み復帰指示表示９１が消去され、ステップＳ１へと戻る。
【００３９】
［特徴］
（１）
この画像形成装置１によれば、オールクリア機能が実行される場合、オールクリアの実行を確認するための特別の操作を行う必要が無く、オールクリアキー８１を押す操作のみでオールクリア機能を実行することができる。このため、操作回数を低減することができ、操作を煩雑化を防止することができる。
【００４０】
また、この画像形成装置１によれば、使用者等が入力した画像形成条件は、ＲＡＭ５の保存領域において記憶され、復帰キー表示９４を押すことでオールクリア実行前の画像形成条件へと戻すことができる。したがって、使用者等は、再度同じ画像形成条件を入力せずとも、オールクリア実行前に入力した画像形成条件に従って画像形成機能を実行することができる。従って、画像形成条件が誤って初期化されてしまい画像形成条件を再入力する必要が生じることを防止することができる。
【００４１】
（２）
この画像形成装置１では、オールクリア機能の実行後に復帰指示表示９１がポップアップ表示によって表示され、所定時間、復帰機能を指示する操作が行われなかった場合には、復帰指示表示９１が消去される。このため、復帰指示表示９１の表示が必要な場合にのみ復帰指示表示９１が表示される。また、表示パネル９を見て画像形成装置１の操作を行っている使用者等の注意を喚起することができる。さらに、復帰指示表示９１においてタッチパネル式の操作が可能であるため、復帰機能を簡易な操作で実行することができる。このように、この画像形成装置１では、復帰機能の実行を指示するための操作性が向上している。
【００４２】
＜他の実施形態＞
（ａ）
上記の実施形態にかかる画像形成装置１は、コピー、プリンター、スキャナーなどの複合機であるが、画像形成機能を有するものであれば、複写機、プリンター、スキャナーのいずれの形態であってもよく、他の機能との複合機であってもよい。
【００４３】
また、上記の実施形態にかかる操作表示装置７は、画像形成装置１に限らず所定の処理条件が設定され処理設定を初期化するオールクリア機能を有する装置に対して適用可能である。
【００４４】
（ｂ）
上記の実施形態では、復帰指示表示９１はポップアップ表示によって表示されているが、異なる表示方法によって表示されてもよい。例えば、復帰指示表示９１が操作画面９０内に操作情報９２等と共に表示されてもよい。ただし、操作性の向上の観点からは、上記の実施形態のように復帰指示表示９１がポップアップ表示によって表示されることが望ましい。
【産業上の利用可能性】
【００４５】
本発明は、処理条件が誤って初期化されてしまうことを防止すると共に操作が煩雑になることを抑えることができる効果を有し、処理条件設定装置および画像形成装置として有用である。
【図面の簡単な説明】
【００４６】
【図１】画像形成装置の外観図。
【図２】画像形成装置の制御ブロック図。
【図３】操作表示装置の外観図。
【図４】表示パネルにおける表示を示す図。
【図５】制御部による制御内容を示すフローチャート。
【図６】制御部による制御内容を示すフローチャート。
【符号の説明】
【００４７】
１        画像形成装置
２        画像形成機構
４        制御部
５        ＲＡＭ（記憶部）
７        操作表示装置（処理条件設定装置）
９        表示パネル（表示部）
８１      オールクリアキー（オールクリア指示部）
９４      復帰キー表示
【図１】
2005159763.tif 000003
【図２】
2005159763.tif 000004
【図３】
2005159763.tif 000005
【図４】
2005159763.tif 000006
【図５】
2005159763.tif 000007
【図６】
2005159763.tif 000008